(57)【特許請求の範囲】
【請求項１】
カメラ台上に取り付けられるカメラのティルト方向、スイング方向、傾斜方向の各方向の角度調整が可能な写真用雲台において、
断面略Ｌ字状であって、スイング方向の角度調整を行うためのスイング軸が回動可能に取り付けられ、傾斜方向の角度調整を行うための傾斜軸が前記スイング軸と垂直方向に回動可能に取り付けられたスイング台と、
前記傾斜軸に同軸に設けられ、傾斜方向に回動するカメラ台連結部と、
全体がＬ字状を成し、水平板部に前記カメラが取り付けられ、直立部が前記カメラ台連結部の先端側にカメラ台回転軸を介して軸支されてなり、カメラ台回転軸まわりに回動することで横サイズ撮影用のカメラ向きにおいてティルト方向の角度調整が可能なカメラ台と、を有し、
前記カメラ台には、第１及び第２の軸が同軸に取り付けられており、前記カメラを取り付けるためのカメラ固定板が設けられ、前記第１の軸は、前記カメラ台を貫通して前記カメラ固定板に固定され、前記第２の軸は、前記第１の軸及びカメラ固定板を貫通し、前記第１の軸には、前記カメラ固定板を回動又は前記カメラ台に固定する手段が設けられ、前記第２の軸には、前記カメラを前記カメラ固定板に固定する手段が設けられ、前記カメラ固定板に前記カメラが固定された状態で前記カメラ固定板を回動自在としたことを特徴とする写真用雲台。
【請求項２】
前記スイング軸上にカメラレンズのセンタが合致している縦サイズ撮影用のカメラ向きから、前記カメラ台回転軸の軸まわりに前記カメラ台を回動して、カメラレンズを被写体と反対方向に向かせた状態における前記第２の軸の前記カメラ固定板上の軸心と、前記状態から前記傾斜軸の軸まわりに前記カメラ台連結部を回動し、横サイズ撮影用のカメラ向きでカメラレンズが被写体方向に向いた状態における前記第２の軸の前記カメラ固定板上の軸心とを結ぶ線分の中点より引いた垂線と、前記カメラ台回転軸のセンタラインとの交点が前記傾斜軸の軸心となるように構成されたことを特徴とする請求項１記載の写真用雲台。
【発明の詳細な説明】
【０００１】
【発明の属する技術分野】
本発明は、カメラ台に取り付けられた、縦横サイズの異なるフィルム使用の小型カメラの向きを縦横に変えて撮影する場合、カメラのレンズ位置が移動しない写真用雲台に関する。
【０００２】
【従来の技術】
従来、２ウェイまたは３ウェイ（小型カメラのティルト方向Ｘ、スイング方向Ｙ、傾斜方向Ｚの角度調整が可能なもの）の雲台に取り付けたカメラの向きを横から縦に変える場合は図７に示すように行う。すなわち、図７（ａ）に示す横サイズ撮影用の向きを、図７（ｂ）に示す縦サイズ撮影用の向きに変更する時、雲台のカメラ台１の傾き用パン棒３の固定ネジ４を解除し、傾斜軸２の回り（傾斜方向Ｚ）にカメラ台１を９０度倒し、小型カメラの向きを縦サイズ撮影用にして傾き用パン棒３をネジ締めしてカメラ台１の向きを変更していた。なお、一般の小型カメラでは、カメラの三脚固定ネジの真上近くにレンズが装備されている。
【０００３】
従って、レンズ光軸との交差軸でティルト煽りが実施できることが望ましい。
【０００４】
【発明が解決しようとする課題】
上記従来技術では、横サイズの撮影時は三脚台５の真上に小型カメラがあって安定しているが、縦サイズ撮影のためにカメラの向きを変更すると、カメラの光軸は三脚台５のセンタ上から横に外れる。このとき、カメラは安定を失い、望遠レンズ等重量の大きいレンズを装着している場合には、三脚倒れの危険がありカメラ振れが生じやすいという問題がある。また、ポートレート撮影や複写・接写等の近接撮影では、カメラレンズ６の光軸の横ずれに対しては三脚全体を移動して横ずれを直す必要がある。さらに、上下方向のずれに対しては、三脚の高さも調節する必要がある。図７（ａ）から図７（ｂ）への向き変更により上下及び左右方向にずれが生じている。
【０００５】
本発明の目的は、このような問題点を改善し、縦横サイズ撮影用にカメラの向きを変更してもカメラの光軸がずれない写真用雲台を提供することにある。より具体的には、縦サイズ撮影用に設定したカメラ台（ティルト操作手段及びカメラ台Ｌ部を含む）をスイング方向Ｘに１８０度回転し、さらにカメラ台を傾斜方向Ｚに９０度倒し、カメラの向きを縦横変更しても、カメラレンズのセンタが左右及び上下に移動しない写真用雲台を提供することを目的とする。
【０００６】
【課題を解決するための手段】
上記課題を解決するため、本発明の写真用雲台は、カメラ台上に取り付けられるカメラのティルト方向、スイング方向、傾斜方向の各方向の角度調整が可能な写真用雲台において、断面略Ｌ字状であって、スイング方向の角度調整を行うためのスイング軸が回動可能に取り付けられ、傾斜方向の角度調整を行うための傾斜軸が前記スイング軸と垂直方向に回動可能に取り付けられたスイング台と、前記傾斜軸に同軸に設けられ、傾斜方向に回動するカメラ台連結部と、全体がＬ字状を成し、水平板部に前記カメラが取り付けられ、直立部が前記カメラ台連結部の先端側にカメラ台回転軸を介して軸支されてなり、カメラ台回転軸まわりに回動することで横サイズ撮影用のカメラ向きにおいてティルト方向の角度調整が可能なカメラ台と、を有し、前記カメラ台には、第１及び第２の軸が同軸に取り付けられており、前記カメラを取り付けるためのカメラ固定板が設けられ、前記第１の軸は、前記カメラ台を貫通して前記カメラ固定板に固定され、前記第２の軸は、前記第１の軸及びカメラ固定板を貫通し、前記第１の軸には、前記カメラ固定板を回動又は前記カメラ台に固定する手段が設けられ、前記第２の軸には、前記カメラを前記カメラ固定板に固定する手段が設けられ、前記カメラ固定板に前記カメラが固定された状態で前記カメラ固定板を回動自在としたことを特徴とする。
【０００８】
さらに、前記スイング軸上にカメラレンズのセンタが合致している縦サイズ撮影用のカメラ向きから、前記カメラ台回転軸の軸まわりに前記カメラ台を回動して、カメラレンズを被写体と反対方向に向かせた状態における前記第２の軸の前記カメラ固定板上の軸心と、前記状態から前記傾斜軸の軸まわりに前記カメラ台連結部を回動し、横サイズ撮影用のカメラ向きでカメラレンズが被写体方向に向いた状態における前記第２の軸の前記カメラ固定板上の軸心とを結ぶ線分の中点より引いた垂線と、前記カメラ台回転軸のセンタラインとの交点が前記傾斜軸の軸心となるように構成されたことを特徴とする。
【０００９】
【発明の実施の形態】
以下、本発明の実施の形態を図面を参照して詳細に説明する。
【００１０】
（第１の実施形態）
図１は、本発明の第１の実施の形態である写真雲台を示す斜視図である。本実施形態の写真用雲台は、図示していない三脚に本写真用雲台を取り付けるための三脚取付ネジを底面に有し、上面にスイング軸２１が突出形成された連結部材２３と、全体が断面Ｌ字状をなし、水平板部が前記スイング軸２１に回動可能に取り付けられ、スイング方向Ｙの角度を調整するためのスイング台１９と、このスイング台１９の直立部の先端Ｒ状折曲部に回動可能に取り付けられた傾斜軸２と、この傾斜軸２に固定され、傾斜方向Ｚの角度を調整するためのアーム（カメラ台連結部１５）と、このカメラ台連結部１５の先端側にカメラ台回転軸１４を介して回動可能に取り付けられた直立部１´と、これに連結された水平板部とで全体がＬ字状に形成され、ティルト方向Ｘの角度を調整するためのカメラ台１とを有して構成される。
【００１１】
前記カメラ台１は、直立部１´にて略直角に曲がって略Ｌ字状に形成され、側面に設けたカメラ台締めノブ２０によってカメラ台回転軸１４の軸まわりの角度調整（横サイズ撮影時のティルト方向Ｘの角度調整）が行えるように構成されている。前記カメラ台回転軸１４は、先端側にネジ部を有し直立部１´近傍を貫通してカメラ台連結部１５側にネジ止めされている。また、カメラ固定つまみ１２の先端側にはカメラ固定ネジ８が設けられ、前記カメラ固定つまみ１２の軸（カメラ固定軸１２ａ＝第２の軸）は、縦サイズ撮影時のティルト方向Ｘの角度調整軸であるティルト固定軸１０（＝第１の軸）のセンタを貫通して回動可能に取り付けられており、さらにカメラ固定板９も貫通しその表面から先端部（カメラ固定ネジ８）が突出している。前記ティルト固定軸１０は、カメラ台軸受１１及びカメラ台１を貫通してカメラ固定板９に固着されている。また、カメラ固定つまみ１２側のティルト固定軸１０後端はネジ切りされ、このねじ切りされた部分にティルト固定つまみ１３がネジ締め可能に取り付けられている。なお、カメラ固定板９においては、カメラ７との接触側にコルク材が接着されており、このカメラ固定板９は、ティルト固定つまみ１３のネジ締めによってカメラ台１に固定されるように構成されている。すなわち、同一軸（ティルト固定軸１０）で２動作（カメラ固定つまみ１２によるカメラ固定動作、及びティルト固定つまみ１３による縦サイズ撮影時のティルト動作）を行う１軸２動作機構としている。なお、縦サイズ撮影時においては、前記１軸２動作機構を装備したカメラ台下部の直立部１´は、カメラ台連結部１５に固定されたカメラ台回転軸１４の軸まわりに３６０度旋回できる。また、縦サイズ撮影時、カメラ台１が左あるいは右に１８０度旋回停止した場合、傾斜軸２の軸心Ｐよりカメラ固定ネジ８までの距離が同一寸法となるように設定し、カメラ台連結部１５に対しカメラ台回転軸１４をネジ止めしている。
【００１２】
前記スイング台１９においては、側端面に設けたスイング固定つまみ２２によりスイング方向Ｙの角度調整を行うように構成されている。このスイング固定つまみ２２は、スイング軸２１が回動可能に取り付けられた状態でスイング台１９に割り溝１９ｂを切り、その割り溝をネジ締めするように設けられている。また、スイング台１９の他の側端面には、傾斜軸２がスイング軸２１と垂直方向に回動可能に取り付けられている。そして、傾斜軸受部１７の上部より割り溝１７ａを切り、その割り溝１７ａを傾斜軸受部１７側から傾斜軸固定ノブ１８でネジ締めすることにより、傾斜軸２と同軸固定されたカメラ台連結部１５の回動で設定される傾斜方向Ｚの角度を調整するように構成している。本実施形態においては、横サイズ撮影用のカメラ向きにおいて、カメラ固定ネジ８から下した垂線上に（カメラ固定軸１２ａのセンタ及びティルト固定軸１０のセンタ上に）、スイング台１９のスイング軸２１のセンタが合致するように設定されている。このようにスイング台１９にスイング軸２１が回動可能に取り付けられた状態でスイング台１９に割り溝１９ｂを切り、スイング固定つまみ２２を設けている。なお、スイング台１９の一部（凹部１９ａ）を窪ませることにより、ティルト方向の角度調整時にカメラ台締めノブ２０がスイング台１９に接触しないように構成されている。
【００１３】
なお、本実施形態では、図２のように、カメラレンズのセンタとカメラ７の三脚取付穴とが垂直線上にある場合、カメラ台連結部１５，１５″は傾斜軸受部１７上部の傾斜軸２を同軸として回動し、カメラ台回転軸１４，１４´のセンタは傾斜軸２のセンタと交差するように設定されている。いま、縦サイズ撮影用のカメラ向きにおいて、カメラ７の底面の三脚取付穴（図示せず）に対応するカメラ固定板９´上のカメラ固定ネジ８´のセンタを『Ａ』、カメラレンズのセンタを『Ｏ』とする。また、横サイズ撮影用のカメラ向きにおいて、カメラ７の底面の三脚取付穴（図示せず）に対応するカメラ固定板９上のカメラ固定ネジ８のセンタを『Ｃ』、カメラレンズのセンタを『Ｏ´』とする。さらに、縦サイズ撮影用のカメラ向きにおいて、カメラ台１´をカメラ台回転軸１４´の軸まわりに１８０度回転したときのカメラ固定板９″上のカメラ固定ネジ８″のセンタを『Ｂ』とする。本実施形態では、前記横サイズ撮影用のカメラ向きにおけるカメラ固定ネジ８のセンタＣが、前記縦サイズ撮影用のカメラ向きにおけるカメラレンズのセンタＯ上にあり、そのセンタＯと横サイズ撮影用のカメラ向きにおけるカメラレンズのセンタＯ´とが合致するように設定される。さらに、本実施形態では、線分ＢＣの２等分点Ｄより垂線を引き、カメラ台回転軸１４（あるいは１４´）のセンタラインとの交点Ｐを傾斜軸２の軸心として設定する。このように設定し、まず、縦サイズ撮影用のカメラ向きからカメラ台１´をカメラ台回転軸１４´の軸まわりに１８０度回転して図面右端におく。このとき、カメラ台１´はカメラ台１″に、カメラ固定板９´はカメラ固定板９″に、カメラ固定ネジ８´はカメラ固定ネジ８″に、カメラ台連結部１５はカメラ台連結部１５″に、それぞれ位置を移動する。さらに、カメラ台連結部１５″を傾斜軸２の軸まわりに９０度図面左側に倒して、横サイズ撮影用のカメラ向きとしたとき、カメラ固定ネジ８のセンタは前記Ｃに位置する。また、線分ＯＣ（＝Ｏ´Ｃ）を下方に延長すると、スイング台１９に嵌合されたスイング軸２１のセンタと合致するように設定されている。なお、カメラレンズのセンタとカメラの三脚取付穴とが数ｍｍ程度ずれている場合については、カメラ台回転軸は移動せず、カメラレンズのセンタと三脚取付穴との移動量だけ傾斜軸を移動すれば良い。
【００１４】
次に、本実施形態における縦サイズ撮影用のカメラ向きから横サイズ撮影用のカメラ向きへの変更方法及び角度調整について述べる。縦サイズ撮影時には、図３のように、カメラ７の三脚取付穴（図示せず）をカメラ固定板９に突出したカメラ固定ネジ８に当て、カメラ固定つまみ１２を回してカメラ固定板９にカメラ底面を密着させて完全に固定させる。このとき、前述のように、カメラレンズのセンタはスイング軸２１のセンタに合致する。また、ティルト煽り操作は、ティルト固定つまみ１３のネジを緩め、被写体に対し仰瞰・俯瞰してカメラアングルを決めた後、ティルト固定つまみ１３をネジ締め固定する。
【００１５】
次に、横サイズ撮影時には、まず、前記縦サイズ撮影用のカメラ向きから、カメラ台締めノブ２０を緩め、カメラ台回転軸１４の軸まわりに直立部１´を１８０度回転し、カメラ台締めノブ２０を締めて固定する。このとき、カメラレンズは被写体と反対方向（図面手前側）に向き、カメラレンズのセンタはスイング軸２１のセンタから外れる。この状態から、ティルト固定つまみ１３を緩め、カメラ７を１８０度ティルト回転して、カメラレンズを被写体側に向け、ティルト固定つまみ１３をネジ締めしカメラ固定板９に密着固定する。さらに、傾斜軸固定ノブ１８を緩め、スイング軸方向にカメラ台連結部１５を９０度倒し、カメラ台１を水平に保ち、傾斜軸固定ノブ１８をネジ締め固定する。こうして、図４のように、カメラ７は水平に横サイズ向き撮影態勢となる。
【００１６】
なお、カメラの縦横向き何れの場合においても、スイング台１９のスイング固定つまみ２２のネジを緩めると、スイング軸まわりにスイング台１９は回動し、カメラ７はスイング軸上でレンズが左右に回りスイング動作する。スイング操作で被写体に対する方向が決まり次第、スイング固定つまみ２２をネジ締めして固定する。本実施形態では、小型カメラの三脚取付ネジはカメラレンズのセンタの略真下にあるので、縦サイズ撮影用のカメラ向きを横サイズ撮影用のカメラ向きに変更した場合、縦横何れでも、カメラレンズの位置はスイング軸上にあってレンズの被写体距離の移動は生じない。
【００１７】
（第２の実施形態）
図５は、本発明の第２の実施の形態の写真用雲台を示す斜視図、図６は本実施形態の写真用雲台における自由雲台機構を示す断面図である。本実施形態の写真用雲台は自由雲台機構３０を有し、第１の実施形態における傾斜軸２、カメラ台連結部１５、カメラ台回転軸１４等の機能をよりシンプルな構成で実現するものである。前記自由雲台機構３０は、直立部１´に上部の直立部固定ネジ２５ｂでネジ止めされ、下部にカメラ台受自由球２５ａを有するカメラ台回転傾斜軸２５ｃと、カメラ台自由球２５ａを覆い、カメラ台１の傾斜方向Ｚに沿って穿たれたカメラ台傾斜溝２６ａを有するドーム状のケース２６と、カメラ台自由球２５ａを支持する支持材２７と、その支持材２７を圧接してカメラ台自由球２５ａの回転を停止するためのカメラ台固定レバー２４とを有し、このカメラ台固定レバー２４はその軸に対して左右非対称の凸部２４ａを有する。そして、カメラ台固定レバー２４を回すことにより、凸部２４ａにて支持材２７を圧接するか、非接触状態としてカメラ台自由球２５ａを回転可能とする。
【００１８】
本実施形態では、縦サイズ撮影用のカメラ向きを設定する操作はカメラ台回転傾斜軸２５ｃがスイング台１９に対して垂直となるように、カメラ台傾斜溝２６ａに沿って回動し、カメラ台固定レバー２４を回してカメラ台回転傾斜軸２５ｃを固定し、さらにカメラ台回転傾斜軸２５ｃの軸まわりに直立部１´を回動して、被写体に対するカメラレンズのセンタがスイング軸上に繰るように設定することにより行う。この縦サイズ撮影用のカメラ向きを基準としたティルト機能は、ティルト固定つまみ１３の操作によって行われる。また、縦サイズ撮影用のカメラ向きから横サイズ撮影用のカメラ向きに変更する操作は、カメラ固定レバー２４を緩めカメラ台回転傾斜軸２５ｃを１８０度回動し、また、ティルト固定つまみ１３を緩め、カメラを１８０度回転し被写体側に向けて、ティルト固定つまみ１３を締め、カメラ台傾斜溝２６ａに沿ってカメラ台回転傾斜軸２５ｃを９０度倒し、スイング台１９と水平位置でカメラ台固定レバー２４を回してカメラ台１を固定することにより行う。この横サイズ撮影用のカメラ向きでのティルト機能は、カメラ回転傾斜軸２５ｃの軸まわりに直立部１´を回動することにより得られる。同時に、第１の実施形態で示したカメラ台締めノブ２０のティルト操作もカメラ台固定レバー２４の操作に代替される。なお、横サイズ撮影用のカメラ向きにおけるスイング操作は第１の実施形態と同様にスイング固定つまみ２２にて行い、傾斜操作は、自由雲台機構３０にて行う。従って、縦横サイズ何れの撮影時もスイング、ティルト・傾斜操作を行う機構（２ウェイ機構）を有することになる。
【００１９】
【発明の効果】
以上のように、本発明によれば、前記１軸２動作機構のティルト固定軸はカメラレンズの光軸を通過交差するので、カメラ縦サイズ向き撮影時の仰瞰・俯瞰のティルト操作において、カメラの被写体に対する前後方向の移動、すなわち被写体距離の移動に伴うピント合わせの再操作の必要がない。特に、被写体距離の近い撮影（人物撮影を含む近距離撮影、特に接写・拡大撮影）に最も効果的である。
【００２０】
また、本発明によれば、縦サイズ撮影用のカメラ向きからカメラ台回転軸を軸に１８０度回転させてカメラレンズが被写体と反対方向に向いた状態のカメラ固定ネジのセンタと、横サイズ撮影用のカメラ向きにおけるカメラ固定ネジのセンタとを結ぶ線分の中点より引いた垂線と、カメラ台回転軸のセンタラインとの交点を傾斜軸の軸心としているので、カメラの縦サイズ向きの撮影態勢から横サイズ向き撮影態勢に変更した時、さきの縦サイズ向き時のカメラのレンズ位置基点に横サイズ向きに操作後のカメラのレンズ位置が上下及び左右に対し変化せず、決めた被写体の撮影中に縦横サイズ向きを変更しても、被写体の移動が不要であると共に、三脚の移動に伴う設置のやり直し及び三脚の高さ調節も不要であるという効果がある。さらに、望遠レンズ等、重量の大きいレンズを装着したカメラでの撮影時には、従来の雲台では何れかのカメラ向き撮影時に三脚真上にレンズが配置できないため、カメラの安定度が良くなく三脚を倒す危険があり、またカメラ振れの原因となっていたが、本発明によりそれらの問題は解消する。
【００２１】
また、本発明によれば、前述の１軸２動作機構とスイング軸のセンタが合致するように構成しているので、縦サイズ及び横サイズ向き時のレンズの位置がスイング軸上にあり、スイング操作して被写体に対し構図を変更しても縦横サイズ何れの向きの撮影時も被写体に対する光軸の角度に変化がないので、三脚の移動が不要である。
【００２２】
さらに、本発明によれば、スイング台の傾斜軸受部やカメラ台連結部とカメラ台回転軸を含めた機構を、自由雲台と置き換え、自由雲台のカメラ取り付けネジを直立部のカメラ台回転軸上にねじ込む機構とすることにより、前述と同様の効果が得られる。
【図面の簡単な説明】
【図１】本発明の第１の実施の形態の写真用雲台を示す斜視図である。
【図２】本発明の第１の実施の形態の写真用雲台における縦横サイズ撮影時のカメラ向き変更方法を示す図である。
【図３】本発明の第１の実施の形態の写真用雲台における縦サイズ撮影時のカメラ向きを示す図である。
【図４】本発明の第１の実施の形態の写真用雲台における横サイズ撮影時のカメラ向きを示す図である。
【図５】本発明の第２の実施の形態の写真用雲台を示す斜視図である。
【図６】本発明の第２の実施の形態の写真用雲台における自由雲台機構を示す断面図である。
【図７】従来の写真用雲台における縦横サイズ撮影時のカメラ向き変更方法を示す図である。
【符号の説明】
１  カメラ台
２  傾斜軸
９  カメラ固定板
１０  ティルト固定軸
１２  カメラ固定つまみ
１２ａ  カメラ固定軸
１３  ティルト固定つまみ
１４  カメラ台回転軸
１５  カメラ台連結部
１９  スイング台
２１  スイング軸
【図１】
0003568375.tif 000002
【図２】
0003568375.tif 000003
【図３】
0003568375.tif 000004
【図４】
0003568375.tif 000005
【図５】
0003568375.tif 000006
【図６】
0003568375.tif 000007
【図７】
0003568375.tif 000008